【手続補正書】
【提出日】平成16年7月27日(2004.7.27)
【手続補正１】
【補正対象書類名】明細書
【補正対象項目名】全文
【補正方法】変更
【補正の内容】
【書類名】      明細書
【発明の名称】  ダブルラッシェル機におけるトリックプレート間隔の調整装置
【特許請求の範囲】
【請求項１】  一対のトリックプレートを備えたダブルラッシェル機において、各々のトリックプレートをエキセン機構にて変位を生起する変位生起手段に、変位伝達手段を介して連結してなるとともに、エキセン機構に付属してロック手段を設けたことを特徴とするダブルラッシェル機におけるトリックプレート間隔の調整装置。
【請求項２】  変位生起手段は、変位伝達手段であるアームレバー（１４ａ，１４ｂ）に連結してなる連結ロッド（５ａ，５ｂ）と、該連結ロッド（５ａ，５ｂ）の一方端に設けられ、機枠（１）に支承してなる支軸（９ａ，９ｂ）に嵌着してなるエキセン部材（４ａ，４ｂ）と、支軸（９ａ，９ｂ）に嵌着してなるレバー（２ａ，２ｂ）より構成してなる請求項１に記載のダブルラッシェル機におけるトリックプレート間隔の調整装置。
【請求項３】  変位生起手段は、変位伝達手段であるアームレバー（１４ａ，１４ｂ）に連結してなる連結ロッド（５ａ，５ｂ）と、該連結ロッド（５ａ，５ｂ）の一方端に設けられ、機枠（１）に支承してなる支軸（９ａ，９ｂ）に嵌着してなるエキセン部材（４ａ，４ｂ）と、支軸（９ａ，９ｂ）に嵌着してなるレバー（２ａ，２ｂ）と、支軸（９ａ，９ｂ）に嵌着してなるアーム（１２ａ，１２ｂ）と、アーム（１２ａ，１２ｂ）が交差状となるように貫通長穴（１０ａ，１０ｂ）内にて摺動可能に連結してなる接合ピン（１５）より構成してなる請求項１に記載のダブルラッシェル機におけるトリックプレート間隔の調整装置。
【請求項４】  ロック手段が、機枠（１）に固定してなる支持部材（３ａ，３ｂ）と、機枠（１）に支承されてなる支軸（９ａ，９ｂ）に嵌着してなるレバー（２ａ，２ｂ）と、レバー（２ａ，２ｂ）の先端部に固定してなるハンドル（７ａ，７ｂ）と、レバー（２ａ，２ｂ）の貫通長穴（２ｃ，２ｄ）に挿通して支持部材（３ａ，３ｂ）に螺装してなるロックハンドル（８ａ，８ｂ）とからなり、変位調整後にトリックプレート（１１ａ，１１ｂ）の間隔を固定可能に構成してなることを特徴とする請求項１〜請求項３のいずれか１項に記載のダブルラッシェル機におけるトリックプレート間隔の調整装置。
【請求項５】  支軸（９ａ，９ｂ）に嵌着してなるエキセン部材（４ａ，４ｂ）の側面に表示されている角度目盛りを指示可能に、機枠（１）に固定してなる取着部材（６ａ，６ｂ）に針（１３ａ，１３ｂ）を設けてなることを特徴とする請求項１〜請求項４のいずれか１項に記載のダブルラッシェル機におけるトリックプレート間隔の調整装置。
【発明の詳細な説明】
【０００１】
【発明の属する技術分野】
本発明はダブルラッシェル機におけるトリックプレート間隔の調整装置に関する。
【０００２】
【従来の技術】
従来、ダブルラッシェル機において相対する２枚のトリックプレートの間隔を調整する際には、トリックプレートに間接的に連結されている調整ロッドの長さを調整する必要があり、具体的には、編幅１３０インチの機種の場合、前後各６カ所で計１２カ所程度の調整ロッドをゆるめてそれらの長さを調整し、ダイヤルゲージを用いてトリックプレート間隔の微調整を行ってから各調整ロッドを締め付ける必要があった。
【０００３】
【発明が解決しようとする課題】
従来のトリックプレート間隔の調整方法では、調整ロッド１本毎に調整作業を行わねばならないので時間がかかり、作業者への負担が大きく、又、ダイヤルゲージでの微調整は熟練者でなければ難しかった。
本発明は、熟練者でなくても簡単にしかも短時間でダブルラッシェル機におけるトリックプレート間を調整する装置を提供することを目的とする。
【０００４】
【課題を解決するための手段】
一対のトリックプレートを備えたダブルラッシェル機において、各々のトリックプレートをエキセン機構にて変位を生起する変位生起手段に、変位伝達手段を介して連結してなるとともに、エキセン機構に付属してロック手段を設けてなる構成としている。
【０００５】
【発明の実施の形態】
変位生起手段が、変位伝達手段であるアームレバーに連結してなる連結ロッドと、該連結ロッドの一方端に設けられ、機枠に支承してなる支軸に嵌着してなるエキセン部材と、支軸に嵌着してなるレバーより構成してなることで、一対のトリックプレートの各々が個別に移動可能となる。
【０００６】
変位生起手段が、変位伝達手段であるアームレバーに連結してなる連結ロッドと、該連結ロッドの一方端に設けられ、機枠に支承してなる支軸に嵌着してなるエキセン部材と、支軸に嵌着してなるレバーと、支軸に嵌着してなるアームと、アームが交差状となるように貫通長穴内にて摺動可能に連結してなる接合ピンより構成してなることで、一対のトリックプレートの各々が同時に移動可能となる。
【０００７】
ロック手段が、機枠に固定してなる支持部材と、機枠に支承されてなる支軸に嵌着してなるレバーと、レバーの先端部に固定してなるハンドルと、レバーの貫通長穴に挿通して支持部材に螺装してなるロックハンドルとからなり、変位調整後にトリックプレートの間隔を固定可能に構成してなることで、変位調整後において、トリックプレートの間隔が一定に保たれる。
【０００８】
支軸に嵌着してなるエキセン部材の側面に表示されている角度目盛りを指示可能に、機枠に固定してなる取着部材に針を設けてなることで、トリックプレート間隔調整時における変位の計測が正確に行われる。
【０００９】
【実施例】
以下、本発明を図面に基づいて説明する。図１及び図２は、各々本発明のダブルラッシェル機におけるトリックプレート間隔の調整装置の第１実施例の一部断面側面図及び一部断面正面、図３は本発明の第２実施例の一部断面側面図である。図１及び図２において、トリックプレート間隔の調整装置は、機枠１に支承してなる一対の支軸９ａ，９ｂと、支軸９ａ，９ｂの各々に嵌着してなるレバー２ａ，２ｂと、レバー２ａ，２ｂの各々の先端部に固定してなるハンドル７ａ，７ｂと、機枠１に固定してなる一対の支持部材３ａ，３ｂと、レバー２ａ，２ｂの各々の貫通長穴２ｃ，２ｄに挿通して支持部材３ａ，３ｂの各々に螺装してなるロックハンドル８ａ，８ｂと、支軸９ａ，９ｂの各々に嵌着してなるエキセン部材４ａ，４ｂと、エキセン部材４ａ，４ｂの各々に、一方端において回動可能に連結してなる連結ロッド５ａ，５ｂと、連結ロッド５ａ，５ｂの各々の他方端に回動可能に連結してなるとともに、トリックプレート１１ａ，１１ｂの各々を保持してなり、且つ機枠１に支承してなる一対のアームレバー用支軸１８ａ，１８ｂに回動可能に支承してなるアームレバー１４ａ，１４ｂと、機枠１に固定してなるとともに、エキセン部材４ａ，４ｂの各々の側面に表示されている角度目盛りを支持可能に針１３ａ，１３ｂを設けてなる取着部材６ａ，６ｂとから構成されている。
【００１０】
ロックハンドル８ａを緩めてハンドル７ａでレバー２ａを押し下げると、支軸９ａと共にエキセン部材４ａが回転し、連結ロッド５ａが下降するので、アームレバー１４ａがアームレバー用支軸１８ａを支点として回転して、トリックプレート１１ａが矢印Ｄ方向に移動する。その際、エキセン部材４ａ上の角度目盛りを針１３ａで確認してからロックハンドル８ａを締め付けることにより、トリックプレート１１ａの位置が適切に固定され、同様にロックハンドル８ｂを緩めてレバー２ｂを押し下げ、トリックプレート１１ｂを矢印Ｅ方向に移動する際に、エキセン部材４ｂ上の角度目盛りを針１３ｂで確認してからロックハンドル８ｂを締め付けることにより、トリックプレート１１ｂの位置が適切に固定されるので、結果的に一対のトリックプレート１１ａ，１１ｂの間隔が広げられる。又、その間隔を狭める場合は、広げる場合とは逆方向へレバー２ａ，２ｂの各々を引き上げて調整が行われる。
【００１１】
図３において、トリックプレート間隔の調整装置は、図１のトリックプレート間隔の調整装置における支軸９ａ，９ｂ、レバー２ａ，２ｂ、ハンドル７ａ，７ｂ、支持部材３ａ，３ｂ、ロックハンドル８ａ、８ｂ、エキセン部材４ａ，４ｂ、連結ロッド５ａ，５ｂ、アームレバー１４ａ，１４ｂ、針１３ａ，１３ｂを設けてなる取着部材６ａ，６ｂに関して同一構成としており、更に支軸９ａ，９ｂの各々には、貫通長穴１０ａ，１０ｂ内にて接合ピン１５で交差状且つ摺動可能に連結してなるアーム１２ａ，１２ｂが嵌着されている。
【００１２】
ロックハンドル８ａ，８ｂ及び接合ピン１５を緩めてハンドル７ａでレバー２ａを押し下げると、支軸９ａと共にエキセン部材４ａが回転し、連結ロッド５ａが下降するので、アームレバー１４ａがアームレバー用支軸１８ａを支点として回転して、トリックプレート１１ａが矢印Ｄ方向に移動するが、それと同時に、支軸９ａと共にアーム１２ａが矢印Ｃ方向へ回転するので、支軸９ｂが回転して連結ロッド５ｂが下降する。連結ロッド５ｂの下降により、アーム１４ｂがアームレバー用支軸１８ｂを支点として回転して、トリックプレート１１ｂが矢印Ｅ方向へ移動する。その際、エキセン部材４ａ，４ｂ上の角度目盛りを針１３ａ，１３ｂの各々で確認してからロックハンドル８ａ，８ｂ及び接合ピン１５を締め付けることにより、トリックプレート１１ａ，１１ｂの位置が同時に適切に固定されるので、結果的にトリックプレート１１ａ，１１ｂの間隔が広げられる。又、その間隔を狭める場合は、広げる場合とは逆方向へレバー２ａあるいはレバー２ｂを引き上げて調整が行われる。
【００１３】
【発明の効果】
本発明によれば、調整ロッドを１本毎に調整する必要がなく、ダイヤルゲージを用いずとも正確にトリックプレートの移動量が計測されるので、熟練者でなくても簡単にしかも短時間でトリックプレートの間隔を調整できる。
【図面の簡単な説明】
【図１】
本発明のダブルラッシェル機におけるトリックプレート間隔の調整装置の第１実施例の一部断面側面図。
【図２】
本発明のダブルラッシェル機におけるトリックプレート間隔の調整装置の第１実施例の一部断面正面図。
【図３】
本発明のダブルラッシェル機におけるトリックプレート間隔の調整装置の第２実施例の一部断面側面図。
【符号の説明】
１…機枠
２ａ，２ｂ…レバー
３ａ，３ｂ…支持部材
４ａ，４ｂ…エキセン部材
５ａ，５ｂ…連結ロッド
６ａ，６ｂ…取着部材
７ａ，７ｂ…ハンドル
８ａ，８ｂ…ロックハンドル
９ａ，９ｂ…支軸
１０ａ，１０ｂ…貫通長穴
１１ａ，１１ｂ…トリックプレート
１２ａ，１２ｂ…アーム
１３ａ，１３ｂ…針
１４ａ，１４ｂ…アームレバー
１５…接合ピン
１８ａ，１８ｂ…アームレバー用支軸
【手続補正２】
【補正対象書類名】図面
【補正対象項目名】全図
【補正方法】変更
【補正の内容】
【図１】
2000080545.tif 000001
【図２】
2000080545.tif 000002
【図３】
2000080545.tif 000003